(57)【要約】【課題】電子黒板を梱包する際に、小形に折り畳むことができるようにすること。【解決手段】電子黒板の筆記面１０のベースとなる折り曲げ可能な１０ａ、１０ｂ、１０ｃを有する電子黒板であって、枠体１０１をスクリーンフィルム４の周回方向に対して３分割すると共に、屏風状に３つ折り可能な構成とし、スクリーンフィルム４を張架した１０１枠体を折り畳んだ状態において、分割された枠体１０１の２個所の屈曲部が、枠体１０１に張架されたスクリーンフィルム４の周方向において略１８０度の位相の位置関係となるように枠体１０１を３分割にした構造を有する電子黒板。【選択図】  図１
2005022274.tif 000002
【特許請求の範囲】
【請求項１】
筆記面となるエンドレス状のスクリーンフィルムと、前記スクリーンフィルムが外挿され、これを受ける筆記台となる枠体と、前記枠体の両端部に設けられ前記スクリーンフィルムを張架するローラ対と、前記スクリーンフィルムを周回方向へ回動させる駆動手段と、前記枠体の一端部に設けられ前記スクリーンフィルムの周上を読
み取る読取手段とを有し、スクリーンフィルム上に筆記された文字や画像を光学的に読み取るスクロール走査方式の電子黒板において、前記枠体を前記スクリーンフィルムの周回方向に対して３分割すると共に、屏風状に３つ折り可能な構成とし、前記スクリーンフィルムを張架した前記枠体を折り畳んだ状態において、前記分割された枠体の２個所の屈曲部が、前記枠体に張架された前記スクリーンフィルムの周方向において略１８０度の位相の位置関係となるように前記枠体を３分割にした事を特徴とする電子黒板。
【請求項２】
前記３分割した枠体の屈曲部をヒンジで回動可能に結合した事を特徴とする請求項１記載の電子黒板。
【請求項３】
前記スクリーンフィルムを張架した前記枠体を折り畳んだ状態において、前記屈曲部に対向する前記スクリーンフィルム上に位置検出マーカーを設けると共に、前記位置検出マーカーを検出する検出手段を有し、前記枠体を組み立てた状態において、前記位置検出マーカーを検出するまで前記駆動手段を駆動する事を特徴とする請求項１ないし２記載の電子黒板。
【請求項４】
前記位置検出マーカー検出手段は前記読取り手段とし、前記位置検出マーカーを前記読取り手段で検出するまで、前記駆動手段を駆動し、前記スクリーンフィルムの前記屈曲部に位置していた部位を、前記枠体の両端部の前記ローラの位置に概略一致するように移動させる事を特徴とする請求項３記載の電子黒板。
【発明の詳細な説明】
【０００１】
【発明の属する技術分野】
本発明は、電子黒板の筆記面の実使用上良好な筆記面積を確保したうえで従来よりも小さい包装体積に梱包することを実現し、また開梱設置後、良好な外観と筆記性を確保することを実現させるものである。
【０００２】
【従来の技術】
一般的にチョークで文字を書く黒板に対して、マーカー等で黒板に書かれ文字及び図形を電気的に読み取り、そのデータをプリンタ等で紙に印字し、或いは読み取ったデータをパーソナルコンピュータに出力する機能を持ち、かつ黒板に書かれた文字はイレーサーによって消去できる機能を持つ黒板を電子黒板と称する。
【０００３】
以下、従来の電子黒板について説明する。
【０００４】
黒板の筆記面に書かれた文字を電気的に読み取る方法には２種類ある。ここで図８は従来の電子黒板の一例を示す斜視図、図９（ａ）は、従来の電子黒板の一例を示す外観図、図９（ｂ）は図９（ａ）の電子黒板を示す上面図である。図８に示すように、一つは黒板筆記面が固定されており、光源を含んだ読み取り部分が自走して筆記面１０上を動き読み取る方式と、もう一つは図９（ａ）に示すように光源を含んだ読み取り部分が固定されていて筆記面がその読み取り部の上を移動することによって読み取る方式である。図８の電子黒板は読み取り部分２０１が矢印Ａ方向及び矢印Ｂ方向へ自走する方式は１面の筆記面を提供でき、図９（ａ）、（ｂ）の読み取り部分が固定で筆記面が移動する方式は複数枚の筆記面を提供できる。この筆記面が移動する方式の場合、筆記面自身は薄いフィルム状の物質を環状に接続しエンドレスな構造にするのが一般的である。また、図１０に示すように、長い環状のフィルムを電子黒板内部で複数回折り返すことによって、２面以上の筆記面を提供することもできる。
【０００５】
ここで、図９（ａ），（ｂ）を用いて、筆記面が移動する方式の場合の概略構造を示す。筆記面１０は帯状の薄いフィルム状の材質でできており、両端を環状になる様に接合されている。背面パネル２０は筆記面１０の環状になった内側に位置し、マーカー等で筆記面１０に文字等を書く際に筆圧を受け止める役割を果たす。読み取り部３０は本体の裏面に位置し、筆記面１０を移動させることによって画像を読み取っている。読み取られた画像データは画像処理部５０へ送られ画像処理され、プリント部６０にて紙に印字される。また、図９（ｂ）に示すように、これらの筆記面１０、背面パネル２０、読み取り部３０は、外装部分４０内に配置されており、黒板ケース５００で周りが覆われている。
【０００６】
【特許文献１】
登録実用新案第３００６３８３号公報
【０００７】
【発明が解決しようとする課題】
一般的に電子黒板は筆記面の大きさが大きいほど使い勝手がよく、設置された事務所や会議室の広さによっては、大きめのもののほうが望まれる場合も多い。したがって大きな製品のサイズに伴い、物流段階での包装サイズも大きくなるため、たとえば物流段階では、一人で持ち運ぶことが困難なため、単純な配送、設置に対しても２名で行う必要があるなどの流通コストが高くなる、あるいは小型の配送車では載せることができないので、小口の配達であっても、大型の配送車で配達しなければならないという問題があった。さらに保管面においては、倉庫等の保管スペースが広くなくてはならず、保管コストも高くなるという問題もあった。また、一般的にスクリーンフィルムとして使用されるＰＥＴ（ポリエチレンテレフタレート）シートなどの高分子シート材は、大きな曲率で長期間折り曲げた状態で放置すると、折り曲げ部の表面と裏面の膨張・収縮量が異なるため、折り曲げ部を伸張したときに、筆記面に折り目が残る問題があった。
【０００８】
【課題を解決するための手段】
本発明は上記課題を解決する為に、筆記パネルを３枚に分割し、各筆記パネルをヒンジ金具で折りたたみ可能に結合し、結合された筆記パネルを外挿したスクリーンフィルムとともに屏風状に折りたたんだ状態で包装することにより、包装サイズを小型化し、物流段階における上記課題の解決を図り、物流上のコスト削減と、物流要員の負担軽減を実現するものである。
【０００９】
また、あわせてスクリーンフィルムの折り目がスクリーンフィルム周上略１８０度の位相を有する相対位置になるように配置し、折り曲げ部近傍に原点検出用のマークを配置し、光学読取装置で前記位置検出マークを読み取り、前記折り目の位置をスクリーン面への筆記時には張架ローラ部近傍に位置させることにより、折り目を筆記部以外の部分に隠し、筆記性の良いスクリーン部分が筆記面に出ることにより、筆記性を損なわない小型梱包の電子黒板を提供することを目的とする。
【００１０】
【発明の実施の形態】
本発明の請求項１に記載の発明は、筆記面となるエンドレス状のスクリーンフィルムと、スクリーンフィルムが外挿され、これを受ける筆記台となる枠体と、枠体の両端部に設けられ、スクリーンフィルムを張架するローラ対と、スクリーンフィルムを周回方向へ回動させる駆動手段と、枠体の一端部に設けられ前記スクリーンフィルムの周上を読み取る読取手段とを有し、スクリーンフィルム上に筆記された文字や画像を光学的に読み取るスクロール走査方式の電子黒板において、枠体をスクリーンフィルムの周回方向に対して３分割すると共に、屏風状に３つ折り可能な構成とし、スクリーンフィルムを張架した枠体を折り畳んだ状態において、前記分割された枠体の２個所の屈曲部が、枠体に張架された前記スクリーンフィルムの周方向において略１８０度の位相の位置関係となるように枠体を３分割するように構成した電子黒板であり、この構成により、背面パネルを数回折り畳むことで小さく梱包することを実現し、且つ背面パネルを折り畳む際に発生するスクリーン上の折り目が筆記面上に表出されないので筆記性を損なわずに小型梱包、搬送の容易化が実現できる。
【００１１】
本発明の請求項２に記載の発明は、請求項１の発明において、３分割した枠体の屈曲部をヒンジで回動可能に結合したことにより、その屈曲部を境にして筆記パネルを屏風状に３分割して折り畳むことができ、且つスクリーンフィルムが折り畳んだ筆記パネルの間に挟まれる面にヒンジを配設した事により、梱包した際にスクリーンモジュールの伸張時の張力がなくなっても、スクリーンフィルムがスクリーンモジュールから外れることがないので、良好な状態で電子黒板をコンパクトに折り畳むことができる。
【００１２】
本発明の請求項３に記載の発明は、請求項１又は請求項２の発明において、スクリーンフィルムを張架した前記枠体を折り畳んだ状態において、屈曲部に対向するスクリーンフィルム上に位置検出マーカーを設けると共に、位置検出マーカーを検出する検出手段を有し、枠体を組み立てた状態において、位置検出マーカーを検出するまで駆動手段を駆動することにより、折り畳んだ際に発生するスクリーンフィルム上の折り目を避けて、折り目の発生していないスクリーンフィルムを筆記面へ表出することができるので、良好な概観と筆記性を得ることができる。
【００１３】
本発明の請求項４記載の発明は、請求項３の発明において、位置検出マーカー検出手段は読取り手段とし、位置検出マーカーを読取り手段で検出するまで、駆動手段を駆動し、スクリーンフィルムの屈曲部に位置していた部位を、枠体の両端部のローラの位置に概略一致するように移動させる事により、折り畳んだ際に発生するスクリーンフィルム上の折り目を筆記部以外の部分に隠し、折り目の発生していないスクリーンフィルムを筆記面へ表出することができるので、良好な概観と筆記性を得ることができる。
【００１４】
以下、本発明の実施の形態について、図１から図７を用いて説明する。なお、これらの図面において同一の部材には同一の符号を付しており、また重複した説明は省略されている。
【００１５】
図１は本発明の実施の形態である電子黒板を示す構造図、図２（ａ）は図１の電子黒板におけるヒンジが筆記パネルへ取り付けられた状態を示す拡大図、図２（ｂ）は図１の電子黒板における各筆記パネルの折り畳み方向を示す図、図３は図１の電子黒板が備える予張装置を示す図、図４は図１の電子黒板におけるスクリーン部の展開伸張示す構造図、図５（ａ），（ｂ）は図１の電子黒板の取り付け金具を筆記パネルのヒンジへ取り付ける際の取り付け方法を示す図、図６は図５の取り付け金具が筆記パネルへ取り付けられた状態及び取り付け金具収納部を示す図、図７は図１の電子黒板におけるスクリーン部の折り畳み方法を示す説明図である。
【００１６】
まず図１及び図２を用いて、本発明の実施の形態における電子黒板の構造を説明する。
【００１７】
スクリーン部１９は、分割された枠体１０１（以下、筆記パネル１０ａ、１０ｂ、１０ｃと称する）から構成され、ヒンジ（以下、結合ヒンジと称する）６ａ、６ｂによって、分割された筆記パネル１０ａ、１０ｂ、１０ｃが連結されている。そして、図２（ｂ）に示すように、これらの筆記パネル１０ａ、１０ｂ、１０ｃは、左側の筆記パネル１０ａ（矢印Ａ方向に折り畳まれる）と中央の筆記パネル１０ｂ（矢印Ｂ方向に折り畳まれる）が互いに向き合うように、右側の筆記パネル１０ｃ（矢印Ｃ方向に折り畳まれる）は外側を向くように、結合ヒンジ６ａ、６ｂによって、スクリーンフィルムと一緒に折りたたみ自在に連接されている。ここで、を筆記パネルに結合ヒンジが取り付けられた状態を図２の（ａ）に詳しく示しているように、結合ヒンジ６ａはスクリーン部１９の前面側に、結合ヒンジ６ｂはスクリーン部１９の後面側に取り付けられる。そして、図１に示すように左側の筆記パネル１０ａには、スクリーンフィルム４を張架し、矢印Ｄ方向に回動駆動する駆動ローラ３ａと、これを回転駆動するモータ、伝達ギアからなる駆動装置２が配せつされている。そして、右側の筆記パネル１０ｃにはスクリーンフィルム４に張力を与える従動ローラ３ｂと予張装置７が配せつされ、筆記パネル１０ａ，１０ｂ，１０ｃが伸張された状態では、予張装置７によりスクリーンフィルム４が一定の張力で、駆動ローラ３ａと従動ローラ３ｂとの間に張架される。ここで、図３に詳しく示しているように、従動ローラ３ｂに設けられた予張装置７はそのバネの力により矢印Ｅ方向へ働くことで、一定の張力によりスクリーンフィルムを張架している。
【００１８】
尚、図１の構造図の破線で囲んだ部分、１０Ｘ、１０Ｙ、１０Ｚをスクリーンモジュールと呼ぶ。ここで、本発明において、スクリーンモジュールとは、筆記パネル１０ａ，１０ｂ，１０ｃを結合ヒンジ６ａ，６ｂで連結してスクリーンフィルム４まで取り付けた、所謂スクリーンブロックを指しており、また、筆記パネルとは、筆記面１０を受ける台で、３分割した個々のパネルを指していることを述べておく。これらのスクリーンモジュール１０Ｘ、１０Ｙ、１０Ｚは、取り付けネジ１２でスクリーン保持フレーム９に固定され、スクリーン保持フレーム９は、図示しない壁面または移動可能なスタンドに懸架され、会議等の議事に筆記に供される。スクリーンの下部にはプリンタ装置８が懸架されており、操作面からの複写指示でスクリーンフィルム４に書かれた文字、画像は、駆動装置２で矢印Ｄの方向に周回駆動され、光学読み取り装置５によって読み取られ、プリンタ装置８で出力される。
【００１９】
次にスクリーン部１９の折りたたみ方法について説明する。
【００２０】
まず図４において、中央部分の上側外装枠４０ａ、下側外装枠４０ｂを取り外し、図５（ａ）の取り付け金具１１ａの下側突起部１１ｃを左側の筆記パネル１０ａの下側結合ヒンジ６ａのスリット６ｃに差し込む。次に、図５（ｂ）に示すように取り付け金具１１ａの上側突起部１１ｄを左側の筆記パネル１０ａの上側結合ヒンジ６ａへ化粧ビスで取り付ける。尚、図６に示すように筆記面１０の裏側には、取り付け金具１１ｂがすでに結合ヒンジ６ｂに取り付けられており、取り付け金具１１ａのみ、筆記面１０を折り畳む際に使用する以外は図６に示す取り付け金具収納部の４０ｃに収納される。
【００２１】
次に図１の取り付けネジ１２を取り外し、スクリーン保持フレーム９からスクリーンモジュール１０Ｘ、１０Ｙ、１０Ｚを取り外す。上述したように３枚の筆記パネル１０ａ、１０ｂ、１０ｃは、左側の１０ａ面と中央の１０ｂ面が互いに向き合い、右側の１０ｃ面は外側を向くように、結合ヒンジ６ａ、６ｂ、６ｃで連接結合されている．従って、図７に示すよう、固定ネジ１３ａ、固定ネジ１３ｂをネジ穴１ａ、１ｂ、１ｃ（上側）、１ｄ、１ｅ、１ｆ（下側）へ貫通させて３枚のパネルを屏風状に折り畳むことができる。このとき、取り付け金具１１ａ、１１ｂは、スクリーンフィルム４を筆記パネルの間に挟む面に配設されるので、スクリーンモジュール１０Ｘ、１０Ｙ、１０Ｚの伸張時の張力がなくなってもスクリーンフィルム４がスクリーンモジュール１０Ｘ、１０Ｙ、１０Ｚから外れることがない。この後、３枚の筆記パネルをそれぞれ貫通する固定ネジ１３で筆記パネルを折りたたみ固定して、包装することにより、スクリーンフィルム４の伸張時よりはるかにコンパクトな包装サイズとすることができる。
【００２２】
また、取り付した上側外装部４０ａ、下側外装部４０ｂ、取り付けネジは、他のプリンタ装置８がスタンド１８と共に収納箱（図示せず）に、折り畳んだ筆記パネル１０ａ、１０ｂ、１０ｃと一緒に梱包される。
【００２３】
ここで折り曲げ部を伸張したときに折り目が残る問題については、上述した取り付け金具１１ａ，１１ｂ部分のスクリーンフィルム４の２箇所の内折り目４ａは、工場出荷後長期間の物流期間に折り目を発生し、電子黒板設置の際のスクリーン部１９を伸張した際には筆記面１０の折り目４ａが凹凸状になることから、外観上も筆記性上も問題となることがある。しかし、上記の取り付け金具１１ａ、１１ｂの取り付け位置をそれぞれ駆動ローラ３ａ、従動ローラ３ｂから等距離になるように配置してあるため、折り目４ａがスクリーンフィルム４の周長上略１８０度の位相にあるので、筆記パネル１０ａ，１０ｂ、１０ｃを伸張したとき表面の内折り部を駆動ローラ３ａの位置にあわせると、裏面の取り付け金具１１ｂ近傍の内折り部に発生する折り目は、従動ローラ３ａの位置になり、筆記面１０へ表出されないので、通常黒板として筆記する際においては、周辺の外装パネル内部に位置するため、事実上機能、性能、外観面での問題はなくなる。したがって、上記内折り目４ａにスクリーンフィルム４の周回回動の位置検出マーク１４ａ、１４ｂを配設し、筆記面１０を筆記可能な位置まで周回回動するとき、位置検出マーク１４ａ、１４ｂを光学読取装置５で検出して内折り目４ａが駆動ローラ３ａに略一致する位置で停止させれば、折り目のない面を筆記面１０として表出することができるので、良好な外観と筆記性を保証することができる。
【００２４】
【発明の効果】
以上説明したように、筆記パネルを３枚に分割し、各筆記パネルを結合ヒンジ金具で折りたたみ可能に結合し、結合された筆記パネルを外挿したスクリーンフィルムとともに屏風状に折りたたんだ状態で包装することにより、包装サイズを小型化し、またあわせてスクリーンフィルムの折り目がスクリーンフィルム周上略１８０度の位相を有する相対位置になるように配置し、折り曲げ部近傍に配置した原点検出用のマークを光学読取装置で前記位置検出マークを読み取り、スクリーン面への筆記時に内折り部を、張架ローラ部近傍に位置させることにより、折り目を筆記部以外の部分に隠し、筆記性を確保することができるものである。
【図面の簡単な説明】
【図１】本発明の実施の形態である電子黒板を示す構造図
【図２】（ａ）図１の電子黒板における結合ヒンジが筆記パネルへ取り付けられた状態を示す拡大図
（ｂ）図１の電子黒板における各筆記パネルの折り畳み方向を示す図
【図３】図１の電子黒板が備える予張装置を示す図
【図４】図１の電子黒板におけるスクリーン部の展開伸張示す構造図
【図５】図１の電子黒板の取り付け金具を筆記パネルの結合ヒンジへ取り付ける際の取り付け方法を示す図
【図６】図５の取り付け金具が筆記パネルへ取り付けられた状態及び取り付け金具収納部を示す図
【図７】図１の電子黒板におけるスクリーン部の折り畳み方法を示す説明図
【図８】従来の電子黒板の一例を示す斜視図
【図９】（ａ）従来の電子黒板の一例を示す外観図
（ｂ）図９（ａ）の電子黒板を示す上面図
【図１０】電子黒板の筆記面折り曲げの２つ折りを示す図
【符号の説明】
１ａ  ネジ穴
１ｂ  ネジ穴
１ｃ  ネジ穴
１ｄ  ネジ穴
１ｅ  ネジ穴
１ｆ  ネジ穴
２  駆動装置
３ａ  駆動ローラ
３ｂ  従動ローラ
４  スクリーンフィルム
４ａ  折り目
５  光学読み取り装置
６ａ  結合ヒンジ
６ｂ  結合ヒンジ
７  予張装置
８  プリンタ装置
９  スクリーン保持フレーム
１０  筆記面
１０ａ  筆記パネル
１０ｂ  筆記パネル
１０ｃ  筆記パネル
１０Ｘ  スクリーンモジュール
１０Ｙ  スクリーンモジュール
１０Ｚ  スクリーンモジュール
１１ａ  取り付け金具
１１ｂ  取り付け金具
１１ｃ  下側突起部
１１ｄ  上側突起部
１２  取り付けネジ
１３  固定ネジ
１４ａ  位置検出マーク
１４ｂ  位置検出マーク
１８  スタンド
１９  スクリーン部
２０  背面パネル
３０  読み取り部
４０  外装部分
４０ａ  上側外装部
４０ｂ  下側外装部
４０ｃ  取り付け金具収納部
５０  画像処理部
６０  プリント部
２０１  読取装置
５００  黒板ケース
Ａ  筆記パネル１０ａの折り畳み方向
Ｂ  筆記パネル１０ｂの折り畳み方向
Ｃ  筆記パネル１０ｃの折り畳み方向
Ｄ  スクリーンフィルムの移動方向
Ｅ  予張装置の張力方向
【図１】
2005022274.tif 000003
【図２】
2005022274.tif 000004
【図３】
2005022274.tif 000005
【図４】
2005022274.tif 000006
【図５】
2005022274.tif 000007
【図６】
2005022274.tif 000008
【図７】
2005022274.tif 000009
【図８】
2005022274.tif 000010
【図９】
2005022274.tif 000011
【図１０】
2005022274.tif 000012